(57)【要約】【課題】子供とのコミュニケーションの機会を増加させる住宅を提供する。さらに、階段下を子供がいる空間として有効利用する。【解決手段】ダイニング２と台所３とが連続するように隣接した住宅１において、ダイニング２には、台所３の床面よりも高くて、台所３に隣接する位置に設けられた高床部２２と、台所３と高床部２２との境界に沿うように配置された作業台３３と、作業台３３と向かい合う壁１２側で高床部２２から上階に繋がる階段２５と、が備えられている。そして、階段２５下に沿って高床部２２よりも床面が低い低床部２８が設けられている。この低床部２８には、作業台３３と略直交方向の壁１１側に沿って机５が置かれている。【選択図】図１
2015209646.tif 000002
【特許請求の範囲】
【請求項１】
居室と台所とが連続するように隣接した住宅において、
前記居室には、
前記台所の床面よりも高くて、前記台所に隣接する位置に設けられた高床部と、
前記台所と前記高床部との境界に沿うように配置された作業台と、
前記作業台と向かい合う壁側で前記高床部から上階に繋がる階段と、が備えられ、
前記階段下に沿って前記高床部よりも床面が低い低床部が設けられていることを特徴とする住宅。
【請求項２】
請求項１に記載の住宅において、
前記居室は、前記作業台と略平行方向に設けられるダイニングで、
前記低床部には、前記作業台と略直交方向の壁側に沿って机が置かれていることを特徴とする住宅。
【請求項３】
請求項１または２に記載の住宅において、
前記高床部は、
前記作業台から当該作業台に対向する壁まで延在する第一高床部と、
前記第一高床部から前記作業台に対向する壁に沿って延在する第二高床部と、を有しており、
前記作業台と前記第二高床部とが略平行に配置されていることを特徴とする住宅。
【請求項４】
請求項１から３のいずれか一項に記載の住宅において、
前記高床部の床下には、前記低床部と面一の床面を有する収納部が設けられて、
前記収納部の前記低床部側が開放していることを特徴とする住宅。
【請求項５】
請求項４に記載の住宅において、
前記収納部内に収納され、上面が開口する収納箱を備えることを特徴とする住宅。
【請求項６】
請求項５に記載の住宅において、
前記収納箱は、周囲側面の一面が透明で、他の二面が寒色系と暖色系の着色面となっていて、残り一面が前記居室の化粧材と同一の意匠面となっていることを特徴とする住宅。
【請求項７】
請求項６に記載の住宅において、
前記収納箱の前記着色面に黒板塗装が施されていることを特徴とする住宅。
【発明の詳細な説明】
【技術分野】
【０００１】
本発明は、子供とのコミュニケーションに適した住宅に関する。
【背景技術】
【０００２】
住宅において、近年、収納作業の手間を削減するべく、例えば居室などの一部を他の部分よりも高床にし、その高床部の下方の空間に引出部材を収容可能としたものが知られている（例えば特許文献１参照）。
また、高床部においては、その他の部分と比べても相対的に天井の高さが低くなった空間が形成される。天井が低い空間においては、落ち着いた雰囲気を醸し出すと言われており、そのような空間は子供を静的に行動させるのに適している。静的な行動とは、昼寝、読書、勉強などが挙げられる。
【０００３】
また、住宅では、階段下を物品収納空間として利用することが多い（例えば特許文献２参照）。
【先行技術文献】
【特許文献】
【０００４】
【特許文献１】特開２０１２−３１６７１号公報
【特許文献２】特開２０１３−１７４０５８号公報
【発明の概要】
【発明が解決しようとする課題】
【０００５】
住宅において、子育てする上では子供とのコミュニケーションを極力取ることが望まれている。
また、階段下の空間を物品収納以外に有効利用できれば好都合である。
【０００６】
そこで、本発明は、子供とのコミュニケーションの機会を増加させる住宅を提供することを目的とする。
さらに、本発明は、階段下を子供がいる空間として有効利用することも目的とする。
【課題を解決するための手段】
【０００７】
以上の課題を解決するため、請求項１に記載の発明は、例えば図１〜図７に示すように、
居室２と台所３とが連続するように隣接した住宅１において、
前記居室２には、
前記台所３の床面よりも高くて、前記台所３に隣接する位置に設けられた高床部２２と、
前記台所３と前記高床部２２との境界に沿うように配置された作業台３３と、
前記作業台３３と向かい合う壁１２側で前記高床部２２から上階に繋がる階段２５と、が備えられ、
前記階段２５下に沿って前記高床部２２よりも床面が低い低床部２８が設けられていることを特徴とする。
【０００８】
請求項１に記載の発明によれば、台所３の作業台３３が高床部２２との境界に沿っているので、台所３から作業台３３に向かって作業する人は必然的に高床部２２側を向くことになる。このため、高床部２２と低床部２８を子供用スペースとして使用すれば、台所作業中においても高床部２２にいる子供をそのままの姿勢で視認することができ、コミュニケーションの機会が増加されることになる。
そして、高床部２２から上階に繋がる階段２５が備えられているので、階段２５を使うときは必ず高床部２２を通過することになる。従って、階段２５の使用時においても高床部２２にいる子供とコミュニケーションを取る機会が与えられ、コミュニケーションの機会が高まる。
さらに、作業台３３に向かい合う壁１２側で高床部２２から上階に繋がる階段２５の下に沿って、高床部２２よりも床面が低い低床部２８が設けられているので、階段２５の下を低床部２８により子供の籠り空間として有効に利用することができる。
【０００９】
請求項２に記載の発明は、
請求項１に記載の住宅において、例えば図１〜図７に示すように、
前記居室２は、前記作業台３３と略平行方向に設けられるダイニングで、
前記低床部２８には、前記作業台３３と略直交方向の壁１１側に沿って机５が置かれていることを特徴とする。
【００１０】
請求項２に記載の発明によれば、階段２５下の低床部２８に作業台３３と略直交方向の壁１１側に沿って机５が置かれているので、階段２５下の低床部２８による子供の籠り空間において、作業台３３と略直交方向の壁１１側に沿って置かれた机５の前に座る子供と、台所３やダイニング２にいる親等との視線が合いにくく、低床部２８の机５の前に座って勉強等する子供にとって集中しやすいものとなる。
【００１１】
請求項３に記載の発明は、
請求項１または２に記載の住宅において、例えば図１〜図３に示すように、
前記高床部２２は、
前記作業台３３から当該作業台３３に対向する壁１２まで延在する第一高床部２３と、
前記第一高床部２３から前記作業台３３に対向する壁１２に沿って延在する第二高床部２４と、を有しており、
前記作業台３３と前記第二高床部２４とが略平行に配置されていることを特徴とする。
【００１２】
請求項３に記載の発明によれば、作業台３３から対向する壁１２まで第一高床部２３が延在しているので、階段２５下に沿った低床部２８の横に位置し、作業台３３から対向する壁１２まで延在する比較的広い第一高床部２３を階段２５下の低床部２８と併せ子供用スペースとして使用できる。
さらに、作業台３３に対向する壁１２に沿って第二高床部２４が床部２１側に延在しているので、この第二高床部２４を椅子として使用することができる。従って、第一高床部２３との統一感を出しつつ、居住性を高めることができる。
そして、作業台３３と第二高床部２４とが略平行に配置されているので、作業台３３から対向する壁１２まで延在する比較的広い第一高床部２３とその横の階段２５下の低床部２８とにいる子供を、台所作業中の人や第二高床部２４に座った人からも見守ることができる。また、視線も合いにくい。
【００１３】
請求項４に記載の発明は、
請求項１から３のいずれか一項に記載の住宅において、例えば図１〜図７に示すように、
前記高床部２２の床下には、前記低床部２８と面一の床面を有する収納部２９が設けられて、
前記収納部２９の前記低床部２８側が開放していることを特徴とする。
【００１４】
請求項４に記載の発明によれば、高床部２２下の収納部２９は低床部２８側が開放していて、低床部２８と面一の床面を有しているので、高床部２２下を収納スペースとして用いるだけでなく、低床部２８側から高床部２２下の収納部２９への収納作業を容易に行うことができる。
【００１５】
請求項５に記載の発明は、
請求項４に記載の住宅において、例えば図６、図７に示すように、
前記収納部２９内に収納され、上面が開口６０する収納箱６を備えることを特徴とする。
【００１６】
請求項５に記載の発明によれば、高床部２２下の収納部２９内に収納される収納箱６が備えられているので、低床部２８側から高床部２２下の収納部２９への収納箱６を用いた整理整頓の行き届いた収納が可能となる。特に、低床部２８を子供用スペースとして使用した場合に、子供の玩具等が収納箱６に収納されることが想定されるが、居室２側から収納箱６が見えないので、見栄えが良い。
また、収納箱６は上面が開口６０しているので、高床部２２下の収納部２９へ収納箱６を出し入れする際に、低床部２８側や高床部２２上から収納箱６に収納された物を見て確認することができる。
【００１７】
請求項６に記載の発明は、
請求項５に記載の住宅において、例えば図８に示すように、
前記収納箱６は、周囲側面の一面が透明６２で、他の二面が寒色系と暖色系の着色面６３、６４となっていて、残り一面が前記居室２の化粧材と同一の意匠面６５となっていることを特徴とする。
【００１８】
請求項６に記載の発明によれば、収納箱６は、周囲側面の一面が透明６２なので、箱の中が横から見えて、箱の中の物を取り出したり、片付けたりしやすい。
さらに、収納箱６の周囲側面の他の二面が寒色系と暖色系の着色面６３、６４なので、例えば寒い季節では寒色系着色面６３を低床部２８側に向けたり、暖かい季節では暖色系着色面６４を低床部２８側に向けたりして、収納箱６を高床部２２下に収納できる。
また、来客時には、収納箱６を回転させて、居室２の化粧材と同一の意匠面６５を居室２の方向に向けることで、スッキリとした印象のインテリアに切替えすることが可能である。
従って、子育て中の来客時にもスッキリとした部屋で人を迎えることが容易になる。
さらに、子育てが終わった後は、収納箱６の居室２の化粧材と同一の意匠面６５を居室２の方向に向けておいて、スッキリとした印象のインテリアに保つことができる。
【００１９】
請求項７に記載の発明は、
請求項６に記載の住宅において、例えば図８に示すように、
前記収納箱６の前記着色面６３、６４に黒板塗装が施されていることを特徴とする。
【００２０】
請求項７に記載の発明によれば、収納箱６の寒色系着色面６３と暖色系着色面６４に黒板塗装が施されているので、その黒板塗装の着色面６３、６４に収納箱６に入れた物の名前や絵を描ける。
【発明の効果】
【００２１】
本発明によれば、台所の作業台を挟んだ居室の高床部を利用して、子供とのコミュニケーションの機会を増加させる住宅を提供することができる。
さらに、階段下を低床部により子供の籠り空間として有効に利用することができる。
【図面の簡単な説明】
【００２２】
【図１】本発明に係る住宅の一実施形態として一階の一部分の間取りを示す平面図である。
【図２】図１における矢印Ａ方向から見た概略斜視図である。
【図３】図１における矢印Ｂ方向から見た概略斜視図である。
【図４】図１の階段下空間を矢印Ｂ方向から見た側面図である。
【図５】図１の第一高床部下の収納空間を矢印Ｂ方向から見た側面図である。
【図６】図１の作業台周りを第一高床部側から見た正面図である。
【図７】図１の階段下空間及び第一高床部下収納空間を示す矢印Ｂ方向に沿った断面図である。
【図８】高床部下収納空間に入れる収納箱を示す平面図（ａ）、側面図（ｂ）（ｃ）（ｄ）、図（ａ）の矢印Ｅ−Ｅ線と矢印Ｆ−Ｆ線にそれぞれ沿った断面図（ｅ）（ｆ）である。
【発明を実施するための形態】
【００２３】
以下、図面を参照して本発明の実施の形態について説明する。
（実施形態）
図１から図３は本発明に係る住宅の一実施形態として一階の一部分の間取りを示すもので、図示例の住宅１においては、三方の壁１１，１２，１３により囲まれた空間に、居室２と台所３とが連続して隣接するように配置されている。
【００２４】
居室２は、図示のように、三方の壁１１，１２，１３に各々面して囲まれる位置に配置されたダイニングである。また、居室２は、リビングとしての機能も有し、ダイニング兼リビングとしても利用できる。
台所３は、図示のように、交差する二方の壁１２，１３から離れて、他方の壁１１に面する位置に配置されている。
【００２５】
台所３には作業台３３が設けられている。
ここで、作業台３３としては、調理作業に使用される流し台、コンロ台、調理台、収納室などをいい、実施形態において、作業台３３は、水回り設備としての流し台３１及び加熱設備としてのコンロ部３２を備えている。
【００２６】
なお、作業台３３としては、流し台３１及びコンロ部３２の少なくとも一方を備えていてもよい。
また、これ以外の作業台３３としては、水回り設備や加熱設備を備えていない調理台や配膳台などが挙げられる。
図示例において、作業台３３は、壁１１から突き出て壁１２に対向するペニンシュラ型キッチンとなっている。
【００２７】
ダイニング２には、台所３の床面と面一に連続する床部２１と、床部２１よりも高い床面を有し、台所３に隣接する位置に設けられた高床部２２とが設けられている。
床部２１は、交差する二方の壁１２，１３に面する位置に配置されている。
【００２８】
高床部２２には、作業台３３の裏面側から離れる方向（作業台３３が延在する方向と直交する方向）に延びて、作業台３３に対向する壁１２まで延在する第一高床部２３と、第一高床部２３から壁１２に沿って延在する第二高床部２４とが設けられている。
この高床部２２と台所３との境界に沿うように作業台３３が配置されている。
【００２９】
なお、作業台３３の裏面には、第一高床部２３の床面に面一で連続する収納部３３１が形成されている。この収納部３３１の上方には棚板３３２が設置されている。
【００３０】
第一高床部２３と第二高床部２４とは全体として上面視略Ｌ字状に形成されている。
第一高床部２３には、上階へと繋がる階段２５が設けられている。
この階段２５は、壁１１，１２がなす角部に最下段の廻り階段２５１が配置されており、その廻り階段２５１から壁１１に沿って直線階段２５２が配置されている。
なお、直線階段２５２の下の空間には、複数段（図示例では三段）の収容棚２５３が設けられている。
【００３１】
第二高床部２４は、第一高床部２３から壁１３まで延在している。この第二高床部２４の奥行きＨは人が腰をかけられる程度の長さが確保されているため、第二高床部２４を椅子として使用することが可能となっている。
第一高床部２３は、第二高床部２４と同じ高さであり、なおかつ第二高床部２４よりも奥行きが長いので、第一高床部２３も椅子として用いることが可能である。このため、第一高床部２３及び第二高床部２４がなす角部近傍には机（ダイニングテーブル）４が配置されている。
【００３２】
第一高床部２３及び第二高床部２４の床下には、床部２１と面一の床面を有する収納部２６，２７が設けられている。
この収納部２６，２７は、床部２１側が開放している。また、収納部２６，２７の奥行きは３５０ｍｍ〜４００ｍｍ程度に設定されている。
【００３３】
以上のダイニング２において、作業台３３と略直交方向の壁１１に沿った部分で、かつ階段２５の直線階段２５２の下方に沿った部分には、図４から図７にも示すように、高床部２２よりも床面が低い低床部２８が設けられている。
この低床部２８は、床部２１と略同じ高さの床面となっている。
【００３４】
そして、低床部２８には、壁１１側に沿って、低い机５が置かれている。
また、高床部２２（第一高床部２３）の床下には、低床部２８と面一の床面を有する収納部２９が設けられていて、この収納部２９は、低床部２８側に開放されていて、収納箱６が収納可能となっている。
さらに、高床部２２（第一高床部２３）の低床部２８側に面する端縁部は、低床部２８側を中心とする円弧状形状部Ｒとなっている。
【００３５】
また、作業台３３の低床部２８側に面する部分には、作業台３３と略同じ高さの棚３４が設けられて、その上方に耐熱ガラスパネル３５が据え付けられている。
なお、壁１１の直線階段２５２の下方に沿った面には、マグネット塗装が施されていて、マグネットが吸着可能となっている。
【００３６】
また、高床部２２（第一高床部２３）は、床部２１側に開放された収納部２６と、低床部２８側に開放された収納部２９との間が、床下収納庫２３１となっていて、外し蓋２３２により開閉可能となっている。
【００３７】
図８（ａ）から（ｆ）は高床部下収納空間に入れる収納箱６を示すもので、収納箱６は、図示のように、上面が開口６０で、底面が白色板により白色面６１となっていて、周囲側面の一面が、例えばクリアアクリル板により透明６２となっている。
【００３８】
そして、収納箱６周囲の対向する二面は、例えば青等の寒色系着色板による寒色系着色面６３と、例えばオレンジ等の暖色系着色板による暖色系着色面６４となっている。
これら寒色系着色面６３及び暖色系着色面６４には、黒板塗装とマグネット塗装が施されている。
なお、収納箱６周囲の残る一面は、ダイニング２の第二高床部２４を含む床の化粧材と同一の意匠面、実施形態では木目柄面６５となっている。
【００３９】
また、クリアアクリル板による透明６２部分の背面側には、隙間を空けて薄いクリアアクリル板６６が設けられて、その隙間がシート材の挿入部６７となっている。この挿入部６７には、例えば紙、布、樹脂等の少なくとも一つからなるシート材が交換自在に収納される。
【００４０】
なお、収納箱６周囲の対向する二面の寒色系着色面６３及び暖色系着色面６４の上部には、手を入れる穴部６８が形成されている。
【００４１】
次に、作用について説明する。
【００４２】
例えば親が台所３で作業していたとしても、作業台３３がダイニング２との境界に配されているので、ダイニング２にいる子供は親の視界内に収まることになる。
また、階段２５を使う際にも高床部２２を必ず通過せねばならず、この際においても親の視界内に子供が収まることになる。
【００４３】
また、収納部２６，２７の床面が床部２１と面一であるために子供でも容易に収納作業を行うことができる。
特に、収納部２６は床部２１と高床部２２との境界に設けられているので、床部２１と高床部２２との間を行き来することをきっかけに収納作業を行うことも容易にできる。
さらに、上述したように静的な行動には相対的に天井の低い高床部２２が適しており、動的な行動には相対的に天井の高い床部２１が適している。
このように、大きく行動パターンの異なる動作に際しては、異なる場所で行動を行うように対応付けしておけば、その移動と片付けとをまとめて行うように習慣づけることも容易である。
【００４４】
そして、作業台３３と略直交方向の壁１２側で階段２５の下に沿って設けられ、高床部２２よりも床面が低い低床部２８を、子供が籠る空間として利用可能である。
その場合、低床部２８側に面する高床部２２（第一高床部２３）の端縁部が、低床部２８側を中心とする円弧状形状部Ｒなので、低床部２８を広くして、高床部２２（第一高床部２３）から低床部２８に子供が降りやすく、籠り空間として好都合となる。
【００４５】
しかも、その階段２５下の低床部２８による子供の籠り空間において、作業台３３と略直交方向の壁１１側に沿って置かれた机５の前に子供が座って読書や勉強が可能となる。
【００４６】
また、高床部２２（第一高床部２３）下で低床部２８側が開放した収納部２９に対し、低床部２８側から子供が収納作業を容易に行える。
【００４７】
そして、その高床部２２（第一高床部２３）下の収納部２９に対し、低床部２８側から子供が収納箱６を用いて整理整頓の行き届いた収納が可能となる。
しかも、高床部２２（第一高床部２３）下の収納部２９へ収納箱６を出し入れする際に、低床部２８側や高床部２２（第一高床部２３）上から収納箱６に収納された物を開口６０から見て確認が可能となる。
【００４８】
さらに、その収納箱６は、一側面のクリアアクリル板による透明６２部分及びその背面側に隙間を空けて配置した薄いクリアアクリル板６６を通して中が横から見えて、箱の中の物を取り出したり、片付けたりしやすいものである。
【００４９】
すなわち、例えば本を収納箱６に入れて、その一側面の透明６２部分を低床部２８側に向けて高床部２２（第一高床部２３）下の収納部２９に置いた状態から引き出した場合、図７に示すように、高床部２２（第一高床部２３）の低床部２８側を中心とする円弧状形状部Ｒによる端縁側にいる子供が、収納箱６内の本を開口６０から見て取り出したり、片付けたりしやすい。
また、低床部２８に座った子供も、収納箱６内の本を一側面のクリアアクリル板による透明６２部分及びその背面側に隙間を空けて配置した薄いクリアアクリル板６６を通して中を見て確認したり、開口６０から見て取り出したり、片付けたりしやすい。
【００５０】
このように、高床部２２（第一高床部２３）の円弧状形状部Ｒによる端縁側にいる子供と、低床部２８に座った子供が、各々の目線下にある収納箱６なので、協同して作業しやすいものとなる。
しかも、協同作業を子供にとって遊びの延長、模擬から入って身に付けるので、高床部２２（第一高床部２３）下の収納部２９に入れる引き出しよりも収納箱６で外に出した方が協同作業しやすい。
【００５１】
そして、その収納箱６を、例えば寒い季節では寒色系着色面６３を低床部２８側に向けたり、暖かい季節では暖色系着色面６４を低床部２８側に向けたりして、収納箱６を高床部２２下に収納可能である。
【００５２】
また、その寒色系着色面６３と暖色系着色面６４は黒板塗装面となっているで、収納箱６に入れた物の名前や絵を描くことも可能である。
さらに、寒色系着色面６３と暖色系着色面６４はマグネット塗装面でもあるので、マグネットを付けることも可能である。
【００５３】
また、クリアアクリル板による透明６２部分の背面側の挿入部６７に挿入するシート材を交換すれば、異なる色や、柄、テキストを収納箱６の一面に表示することもできる。
例えばテキストを表示すれば、収納箱６の用途を直接的に明示することもできる。色や柄を用途に対応付けしておけば、間接的に収納箱の用途を明示することもできる。また、色や柄を表示する場合においては、インテリア的な印象を切り替えたりすることも可能である。
【００５４】
以上のように、実施形態の住宅１によれば、台所３の作業台３３がダイニング２の高床部２２との境界に沿っているので、台所３から作業台３３に向かって作業する人は、必然的にダイニング２の高床部２２側を向くことになる。
このため、台所作業中において、ダイニング２の高床部２２にいる子供をそのままの姿勢で視認することができ、コミュニケーションの機会が増加されることになる。
【００５５】
また、ダイニング２には、作業台３３に対向する壁１２に沿って第二高床部２４が床部２１側に延在しているので、この第二高床部２４を椅子として使用することができる。従って、第一高床部２３との統一感を出しつつ、居住性を高めることができる。
【００５６】
また、高床部２２の床下の収納部２６，２７は床部２１側が開放していて、床部２１と面一の床面を有しているので、高床部２２の床下を収納スペースとして用いるだけでなく、収納作業も容易に行うことが可能である。
【００５７】
また、ダイニング２には、高床部２２から上階に繋がる階段２５が備えられているので、階段２５を使うときは必ず高床部２２を通過することになる。
従って、台所３から作業台３３に向かって作業する人は、ダイニング２の高床部２２にいる子供が階段２５の使用時においても、子供とコミュニケーションを取る機会が与えられ、コミュニケーションの機会が高まる。
【００５８】
さらに、作業台３３と略直交方向の壁１２側で階段２５の下に沿って設けられ、高床部２２よりも床面が低い低床部２８において、子供の籠り空間として有効に利用することができる。
【００５９】
しかも、その階段２５下の低床部２８による子供の籠り空間において、作業台３３と略直交方向の壁１１側に沿って置かれた机５の前に座る子供の身体の向きは、台所３側とダイニング２側とから何れも略直交方向となるので、台所３やダイニング２にいる親等と視線が合わなく、低床部２８の机５の前に座って勉強等する子供にとって集中しやすいものとなる。
【００６０】
また、高床部２２（第一高床部２３）下で低床部２８側が開放した収納部２９に対し、低床部２８側から子供が収納作業を容易に行うことができる。
【００６１】
そして、その高床部２２（第一高床部２３）下の収納部２９に対し、低床部２８側から子供が収納箱６を用いて整理整頓の行き届いた収納を行うことができる。
しかも、高床部２２（第一高床部２３）下の収納部２９へ収納箱６を出し入れする際に、低床部２８側や高床部２２上から子供が収納箱６の開口６０から収納された物を見て確認することができる。
【００６２】
さらに、その収納箱６は、側面の透明６２部分から中が横から見えて、箱の中の物を取り出したり、片付けたりしやすいといった利点が得られる。
加えて、その収納箱６を、例えば寒い季節では寒色系着色面６３を低床部２８側に向けたり、暖かい季節では暖色系着色面６４を低床部２８側に向けたりして、高床部２２下に収納することもできる。
【００６３】
また、その収納箱６は、その黒板塗装した寒色系着色面６３と暖色系着色面６４に、入れた物の名前や絵を描けるといった利点も得られる。
さらに、寒色系着色面６３と暖色系着色面６４はマグネット塗装面でもあるので、マグネットを付けることもできる。
【００６４】
また、来客時には、収納箱６を回転させて、ダイニング２の第二高床部２４を含む床の化粧材と同一の木目柄面６５をダイニング２の方向に向けることで、スッキリとした印象のインテリアに切替えすることが可能である。
従って、子育て中の来客時にもスッキリとした部屋で人を迎えることが容易になる。
さらに、子育てが終わった後は、収納箱６の木目柄面６５をダイニング２の方向に向けておいて、スッキリとした印象のインテリアに保つことができる。
【００６５】
（変形例）
以上の実施形態においては、作業台が壁から突き出ている場合を例示して説明したが、作業台は高床部との境界に沿うように配置されているのであれば壁から離れて配置されていてもよい。
また、居室、台所、作業台、高床部、階段及び低床部の形状等も任意であり、その他、収納箱など、具体的な細部構造等についても適宜に変更可能であることは勿論である。
例えば収納箱の一面を、居室の床の化粧材と同一の意匠面として木目柄面としたが、居室の床が大理石の場合は、大理石柄面とすればよく、要は居室の化粧材と同一の意匠面とすればよい。
【符号の説明】
【００６６】
１  住宅
１１  壁
１２  壁
２  居室（ダイニング）
２１  床部
２２  高床部
２３  第一高床部
２４  第二高床部
２５  階段
２８  低床部
２９  収納部
３  台所
３３  作業台
５  机
６  収納箱
６０  開口
６１  白色面
６２  透明
６３  寒色系着色面
６４  暖色系着色面
６５  居室の化粧材と同一の意匠面
【図１】
2015209646.tif 000003
【図２】
2015209646.tif 000004
【図３】
2015209646.tif 000005
【図４】
2015209646.tif 000006
【図５】
2015209646.tif 000007
【図６】
2015209646.tif 000008
【図７】
2015209646.tif 000009
【図８】
2015209646.tif 000010